(57)【要約】【課題】腰壁の端面を化粧する端面化粧材において、それを構成する主体化粧材の現場での長さ調整を自由度高く行えるようにしながら、主体化粧材と接続化粧材との間に所定の化粧溝を適切に形成させた状態でのこの接続化粧材を介した主体化粧材相互の接続をなせるようにする。【解決手段】腰壁Ｗの天端面Ｗａ、側端面Ｗｂあるいは両者の化粧をなす化粧材であって、主体化粧材１と、接続化粧材２と、主体化粧材１の接続端面１０に止着される介装材３とを有している。接続化粧材２には接続化粧材２を介して接続され合う主体化粧材１の接続端面１０に止着された介装材３の入れ込み凹部２０が二カ所以上位置を異ならせるようにして形成されている。主体化粧材１と接続化粧材２との間に介装材３の外面を溝底面とする化粧溝４を形成させるようにして、主体化粧材１を接続化粧材２によって接続させ合わせるようにしてある。【選択図】図３
2006283440.tif 000002
【特許請求の範囲】
【請求項１】
腰壁の天端面、側端面あるいは両者の化粧をなす化粧材であって、
主体化粧材と、
接続化粧材と、
主体化粧材の接続端面に止着される介装材とを有しており、
接続化粧材には、この接続化粧材を介して接続され合う主体化粧材の接続端面に止着された介装材の入れ込み凹部が二カ所以上位置を異ならせるようにして形成されており、
主体化粧材と接続化粧材との間に介装材の外面を溝底面とする化粧溝を形成させるようにして、主体化粧材を接続化粧材によって接続させ合わせるようにしてあることを特徴とする腰壁の端面化粧材。
【請求項２】
接続化粧材の隅を挟んで隣り合う側端部にそれぞれ、入れ込み凹部が形成してあることを特徴とする請求項１記載の腰壁の端面化粧材。
【請求項３】
接続化粧材の一つの側端部と、この一つの側端部に接続化粧材の隅を挟んで隣り合う二つの側端部とにそれぞれ、入れ込み凹部が形成してあることを特徴とする請求項１記載の腰壁の端面化粧材。
【請求項４】
接続化粧材の側端部に、腰壁の天端と側端との間の屈曲部を挟んで隣り合って配される主体化粧材の一方に止着された介装材の入れ込み凹部が形成してあると共に、
接続化粧材の裏面部に、腰壁の屈曲部を挟んで隣り合って配される主体化粧材の他方に止着された介装材の入れ込み凹部が形成してあることを特徴とする請求項１記載の腰壁の端面化粧材。
【請求項５】
介装材が、
主体化粧材の接続端面への止着面と、この止着面に略直交する向きにある両横向き面、及び、両側面を備えた基部と、
基部の横向き面の一方に連続する面を、基部の横向き面の他方の前端を略円心とする仮想の円の円弧上に位置させるように形成された延長部とを有していることを特徴とする請求項１から請求項４のいずれか１項に記載の腰壁の端面化粧材。
【請求項６】
一対の脚部と、この一対の脚部間に亘る連接部とを有し、この一対の脚部間の間隔を介装材の両側面間の間隔と略等しくするように構成された施工補助具であって、その厚さを主体化粧材の接続端面からの介装材の突き出し寸法よりも小さくするように構成された施工補助具を用意し、
施工補助具の内側に主体化粧材に止着された介装材をその表面側から嵌め入れた状態で、この施工補助具が主体化粧材の接続端面と接続化粧材の入れ込み凹部を巡る面とに挟み付けられる位置までこの入れ込み凹部に介装材を入れ込み、
腰壁に対して接続化粧材及び主体化粧材の双方を止着させた後、前記嵌められた施工補助具を取り外すようにすることを特徴とする請求項１〜請求項５のいずれか１項に記載の腰壁の端面化粧材の施工方法。
【請求項７】
請求項６記載の施工補助具における少なくとも一対の脚部のそれぞれが、第一向き合い面と、この第一向き合い面よりも外側に位置される第二向き合い面とをとを有しており、
この施工補助具が、一対の脚部の第一向き合い面間の間隔を介装材の両側面間の間隔と略等しくしていると共に、
一対の脚部の第二向き合い面間の間隔を、主体化粧材の幅寸法と略等しく、かつ、接続化粧材の入れ込み凹部の形成されている側端部の幅寸法と略等しくし、
さらに、突き出し端を第一向き合い面とする隆起部の両側にそれぞれ第二向き合い面を備えた施工補助具となっており、
この施工補助具を用いてなされることを特徴とする請求項６記載の腰壁の端面化粧材の施工方法。
【発明の詳細な説明】
【技術分野】
【０００１】
この発明は、所定高さの壁体として独立して構成され、従って、天端面を有している腰壁の、天端面、側端面あるいは両者の化粧をなすために用いられる端面化粧材の改良、および、その施工方法に関する。
【背景技術】
【０００２】
第一厚みを持った水平コーナ役物と、接続端部を第二厚みとしてその余を第一厚みとした笠木部材とからなり、第二厚みを第一厚みより小さくした笠木がある。（特許文献１参照）この笠木にあっては、水平コーナ役物と笠木部材との突き合わせ接続部において前記両厚みの差分の底目地（化粧溝）を形成させることができる。これにより、水平コーナ役物の表面と笠木部材の表面との高さにズレが生じた場合でもそれが目立つことを防いでいる。しかるに、この笠木にあっては、笠木部材の長さ調整は、第二厚みを持った接続端部の範囲内でしか行うことができないものであった。すなわち、かかる笠木では、施工現場において、笠木部材の長さの大幅な調整が必要となっても、それをなすことができないものであった。
【特許文献１】特許第３４２３１３２号公報
【発明の開示】
【発明が解決しようとする課題】
【０００３】
この発明が解決しようとする主たる問題点は、腰壁の端面を化粧する端面化粧材において、それを構成する主体化粧材の現場での長さ調整を自由度高く行えるようにしながら、主体化粧材と接続化粧材との間に所定の化粧溝を適切に形成させた状態でのこの接続化粧材を介した主体化粧材相互の接続をなせるようにする点にある。
【課題を解決するための手段】
【０００４】
前記問題点を解決するために、この発明にあっては、腰壁の端面化粧材を以下の（１）〜（６）の構成を備えたものとした。
（１）腰壁の天端面、側端面あるいは両者の化粧をなす化粧材であって、
（２）主体化粧材と、
（３）接続化粧材と、
（４）主体化粧材の接続端面に止着される介装材とを有しており、
（５）接続化粧材には、この接続化粧材を介して接続され合う主体化粧材の接続端面に止着された介装材の入れ込み凹部が二カ所以上位置を異ならせるようにして形成されており、
（６）主体化粧材と接続化粧材との間に介装材の外面を溝底面とする化粧溝を形成させるようにして、主体化粧材を接続化粧材によって接続させ合わせるようにしてある。
【０００５】
かかる構成によれば、接続化粧材の入れ込み凹部に前記のように主体化粧材の接続端面に止着された介装材を、この入れ込み凹部を巡る面と接続端面との間に所定の隙間を開けるようにして、入れ込ませた状態で、腰壁を構成する下地材に釘などを用いて接続化粧材と主体化粧材とを止着させることにより、かかる主体化粧材と接続化粧材との間に介装材の外面を溝底面とする化粧溝を形成させることができる。主体化粧材の長さ寸法の調整が必要な場合には、施工現場で主体化粧材を切断して短くした後、その切り口としての接続端面に介装材を止着させ、接続化粧材との接続をなすようにすれば、このように切断調整された主体化粧材と接続化粧材との間にこの介装材の外面を溝底面とする化粧溝を前記の場合と同様に適切に形成させることができる。
【０００６】
前記接続化粧材の隅を挟んで隣り合う側端部にそれぞれ、入れ込み凹部を形成させておくこともある。
【０００７】
このようにした場合、かかる接続化粧材の一方の入れ込み凹部に腰壁の隅を挟んで隣り合う一方の主体化粧材の接続端面に止着された介装材を入れ込ませ、かつ、かかる接続化粧材の他方の入れ込み凹部に腰壁の隅を挟んで隣り合う他方の主体化粧材の接続端面に止着された介装材を入れ込ませるようにして、この接続化粧材を腰壁の隅の天端面を覆うように取り付け、かつ、両主体化粧材をそれぞれ腰壁の天端面を覆うように取り付けることにより、この腰壁の隅を挟んで隣り合う主体化粧材を、化粧溝を作りながら、かかる接続化粧材によって見栄え良く連続させ合わせることができる。
【０００８】
前記接続化粧材の一つの側端部と、この一つの側端部に接続化粧材の隅を挟んで隣り合う二つの側端部とにそれぞれ、入れ込み凹部を形成させておくこともある。
【０００９】
このようにした場合、かかる接続化粧材の一つの側端部に形成された入れ込み凹部に腰壁がＴ字状に交わる交点部に接続端部を向けるように配される主体化粧材の一つの接続端面に止着された介装材を入れ込ませ、
かかる接続化粧材の他の一つの側端部に形成された入れ込み凹部に前記交点部に接続端部を向けるように配される主体化粧材の他の一つの接続端面に止着された介装材を入れ込ませ、
さらに、かかる接続化粧材のさらに他の一つの側端部に形成された入れ込み凹部に前記交点部に接続端部を向けるように配される主体化粧材のさらに他の一つの接続端面に止着された介装材を入れ込ませるようにして、この接続化粧材を腰壁の交点部の天端面を覆うように取り付け、かつ、三つの主体化粧材をそれぞれ腰壁の天端面を覆うように取り付けることにより、この腰壁の交点部に接続端部を向けるようにして配される三つの主体化粧材を、化粧溝を作りながら、かかる接続化粧材によって見栄え良くＴ字状をなすように連続させ合わせることができる。
【００１０】
前記接続化粧材の側端部に、腰壁の天端と側端との間の屈曲部を挟んで隣り合って配される主体化粧材の一方に止着された介装材の入れ込み凹部を形成させておくとと共に、
接続化粧材の裏面部に、腰壁の屈曲部を挟んで隣り合って配される主体化粧材の他方に止着された介装材の入れ込み凹部を形成させておくこともある。
【００１１】
このようにした場合、かかる接続化粧材の側端部に形成された入れ込み凹部に腰壁の屈曲部を挟んで上方に位置される天端面を覆う主体化粧材の接続端面に止着された介装材を入れ込ませ、かつ、かかる接続化粧材の裏面部に形成された入れ込み凹部に腰壁の屈曲部を挟んで下方に位置される腰壁の側端面を覆う主体化粧材の接続端面に止着された介装材を入れ込ませるようにして、この接続化粧材を腰壁の屈曲部の天端面を覆うように取り付け、かつ、両主体化粧材をそれぞれ腰壁の端面を覆うように取り付けることにより、この腰壁の屈曲部を挟んで隣り合う主体化粧材を、化粧溝を作りながら、かかる接続化粧材によって見栄え良く連続させ合わせることができる。
【００１２】
前記介装材が、
主体化粧材の接続端面への止着面と、この止着面に略直交する向きにある両横向き面、及び、両側面を備えた基部と、
基部の横向き面の一方に連続する面を、基部の横向き面の他方の前端を略円心とする仮想の円の円弧上に位置させるように形成された延長部とを有しているものとしておくこともある。
【００１３】
このようにした場合、接続化粧材の表面と主体化粧材の表面とが略同面上に位置されるように両者が組み合わされる場合には、介装材の延長部を接続化粧材の入れ込み凹部に入れ込ませるようにすることにより、この介装材の外面を底面とする化粧溝を接続化粧材と主体化粧材との間に形成させることができる。
【００１４】
また、接続化粧材の表面が略水平に配され、主体化粧材の表面がそこから下り勾配を持つように両者が組み合わされる場合には、介装材の延長部の円弧面を上向きにして、かつ、基部の前端がこの勾配の始まりとなる位置に略位置されるようにし、かつ、この勾配によって接続化粧材と主体化粧材との間に生じる隙間分、前記円弧面が接続化粧材の入れ込み凹部から外に出るように入れ込み凹部に延長部を入れ込ませることにより、この介装材の外面を底面とする化粧溝を接続化粧材と主体化粧材との間に形成させることができる。
【００１５】
また、接続化粧材の表面が略水平に配され、主体化粧材の表面がそこから登り勾配を持つように両者が組み合わされる場合には、介装材の延長部の円弧面を下向きにして、かつ、基部の前端がこの勾配の始まりとなる位置に略位置されるようにし、かつ、この勾配によって接続化粧材と主体化粧材との間に生じる隙間分、前記円弧面が接続化粧材の入れ込み凹部から外に出るように入れ込み凹部に延長部を入れ込ませることにより、この介装材の外面を底面とする化粧溝を接続化粧材と主体化粧材との間に形成させることができる。
【００１６】
また、前記問題点を解決するために、この発明にあっては、腰壁の端面化粧材の施工方法を以下の（１）〜（３）の構成を備えたものとした。
（１）一対の脚部と、この一対の脚部間に亘る連接部とを有し、この一対の脚部間の間隔を介装材の両側面間の間隔と略等しくするように構成された施工補助具であって、その厚さを主体化粧材の接続端面からの介装材の突き出し寸法よりも小さくするように構成された施工補助具を用意し、
（２）施工補助具の内側に主体化粧材に止着された介装材をその表面側から嵌め入れた状態で、この施工補助具が主体化粧材の接続端面と接続化粧材の入れ込み凹部を巡る面とに挟み付けられる位置までこの入れ込み凹部に介装材を入れ込み、
（３）腰壁に対して接続化粧材及び主体化粧材の双方を止着させた後、前記嵌められた施工補助具を取り外すようにする。
【００１７】
このようにした場合、前記化粧溝が接続化粧材と主体化粧材との間に、格別の注意を払うことなく常に所定の溝幅寸法をもって形成されるようにすることができる。
【００１８】
また、前記施工補助具における少なくとも一対の脚部のそれぞれが、第一向き合い面と、この第一向き合い面よりも外側に位置される第二向き合い面とをとを有しており、
この施工補助具が、一対の脚部の第一向き合い面間の間隔を介装材の両側面間の間隔と略等しくしていると共に、
一対の脚部の第二向き合い面間の間隔を、主体化粧材の幅寸法と略等しく、かつ、接続化粧材の入れ込み凹部の形成されている側端部の幅寸法と略等しくし、
さらに、突き出し端を第一向き合い面とする隆起部の両側にそれぞれ第二向き合い面を備えた施工補助具となっており、
この施工補助具を用いて前記施工方法を実施するようにしておくこともある。
【００１９】
このようにした場合、隆起部を挟んだ一方側の第二向き合い面内に主体化粧材の接続端面側の端部をはめ込み、かつ、隆起部を挟んだ他方側の第二向き合い面内に接続化粧材の側端部をはめ込むようにして、この主体化粧材と接続化粧材との間に施工補助具を介在させることができ、これにより、主体化粧材の側面と接続化粧材のはめ込み凹部の形成されている側端部に隣り合う側端面とを略同一の直線上にできる限り位置させるようにした施工をなすことができる。
【発明の効果】
【００２０】
この発明によれば、端面化粧材を構成する主体化粧材の現場での長さ調整を自由度高く行えるようにしながら、主体化粧材と接続化粧材との間に所定の化粧溝を適切に形成させた状態でのこの接続化粧材を介した主体化粧材相互の接続をなすことができる。
【発明を実施するための最良の形態】
【００２１】
以下、図１ないし図１９に基づいて、この発明を実施するための最良の形態について説明する。
【００２２】
なお、ここで図１ないし図５は、腰壁Ｗの隅Ｗｃを挟んで隣り合う主体化粧材１とこれらを連続させ合わせるようにこれらに接続される接続化粧材２とからなる端面化粧材Ｐの例を示している。
【００２３】
また、図６ないし図９は、施工補助具５の一例をそれぞれ示しており、特に図９は、かかる施工補助具５の使用状態を断面の状態として示している。
【００２４】
また、図１０ないし図１３は、腰壁Ｗの隅Ｗｃを挟んで隣り合う主体化粧材１の一方が昇り勾配を持ち、他方が下り勾配を持つように配される場合のこれら主体化粧材１と、これらを連続させ合わせるようにこれらに接続される接続化粧材２とからなる端面化粧材Ｐの例を示している。
【００２５】
また、図１４および図１５は、三辺に入れ込み凹部２０を備えた接続化粧材２の例を示している。
【００２６】
また、図１６ないし図１９は、腰壁Ｗの天端と側端との間の屈曲部Ｗｄを挟んで隣り合う主体化粧材１とこれらを連続させ合わせるようにこれらに接続される接続化粧材２とからなる端面化粧材Ｐの例を示している。
【００２７】
この実施の形態にかかる端面化粧材Ｐは、所定高さの壁体として独立して構成され、従って、天端面Ｗａを有している腰壁Ｗの、天端面Ｗａ、側端面Ｗｂあるいは両者の化粧をなすために用いられ、かかる腰壁Ｗの笠木などとなるものである。
【００２８】
また、この実施の形態にかかる施工方法は、かかる化粧材を腰壁Ｗの天端面Ｗａや側端面Ｗｂに見栄え良く取り付けるために適用されるものである。
【００２９】
かかる端面化粧材Ｐは、
（１）主体化粧材１と、
（２）接続化粧材２と、
（３）主体化粧材１の接続端面１０に止着される介装材３とを有している。
【００３０】
接続化粧材２は、腰壁Ｗの隅Ｗｃに配されて、この腰壁Ｗの隅Ｗｃを挟んで隣り合って配される主体化粧材１を、接続化粧材２によって連続させ合うようにするものである。
【００３１】
また、かかる接続化粧材２は、腰壁Ｗの天端と側端との間の屈曲部Ｗｄに配されて、この屈曲部Ｗｄを挟んで隣り合って配される主体化粧材１、つまり、天端に配される主体化粧材１と側端に配される主体化粧材１とを、接続化粧材２によって連続させ合う合うようにするものである。
【００３２】
また、かかる接続化粧材２は、腰壁ＷがＴ字状に交わる交点部に配されて、この腰壁Ｗの交点部にそれぞれ接続端面１０を向けるように配される三つの主体化粧材１を、この接続化粧材２によって連続させ合うようにするものである。
【００３３】
また、かかる接続化粧材２は、直線的に連続して配される主体化粧の一方の接続端面１０と他方の接続端面１０との間に配されて、この二つの主体化粧材１を、この接続化粧材２によって連続させ合うようにするものである。
【００３４】
かかる接続化粧材２には、この接続化粧材２を介して接続され合う主体化粧材１の接続端面１０に止着された介装材３の入れ込み凹部２０が二カ所以上位置を異ならせるようにして形成されている。
【００３５】
主体化粧材１の接続端面１０は、主体化粧材１の長さ方向に亘る表面１１、裏面１２、および、両側面１３、１３のいずれの面にも交叉する向きに配された主体化粧材１の端面である。介装材３は、この接続端面１０への止着面３０を有し、この止着面３０を接続端面１０に接触させた状態でこの止着面３０に対し背中合わせの向きにある面となる前面３１から釘Ｎなどを打ち込むことにより主体化粧材１の接続端面１０にこの接続端面１０から前方に突き出すように止着される。
【００３６】
そして、この実施の形態にかかる端面化粧材Ｐにあっては、かかる主体化粧材１と接続化粧材２との間に介装材３の外面を溝底面とする化粧溝４を形成させるようにして、主体化粧材１を接続化粧材２によって連結させ合わせるようにしてある。
【００３７】
すなわち、接続化粧材２の入れ込み凹部２０に前記のように主体化粧材１の接続端面１０に止着された介装材３を、この入れ込み凹部２０を巡る面と接続端面１０との間に所定の隙間を開けるようにして、入れ込ませた状態で、腰壁Ｗを構成する下地材に釘Ｎなどを用いて接続化粧材２と主体化粧材１とを止着させることにより、かかる主体化粧材１と接続化粧材２との間に介装材３の外面を溝底面とする化粧溝４を形成させることができる。主体化粧材１の長さ寸法の調整が必要な場合には、施工現場で主体化粧材１を切断して短くした後、その切り口としての接続端面１０に介装材３を止着させ、接続化粧材２との接続をなすようにすれば、このように切断調整された主体化粧材１と接続化粧材２との間にこの介装材３の外面を溝底面とする化粧溝４を前記の場合と同様に適切に形成させることができる。
【００３８】
図１ないし図５に示される例にあっては、接続化粧材２の隅２２を挟んで隣り合う側端部２３にそれぞれ、入れ込み凹部２０が形成してある。
【００３９】
すなわち、この例にあっては、接続化粧材２は平面視の状態において、略正方形状をなす板体として構成されている。この接続化粧材２の一辺、つまり、一つの側端部２３の幅寸法（接続化粧材２における隣り合う隅２２、２２間の寸法）は、長板状をなす主体化粧材１の幅寸法と略等しくなっている。また、この例にあっては、前記隅２２が入り隅状２２ａをなすように成形されている。また、入れ込み凹部２０は、接続化粧材２の側端部２３の略全長に亘るように形成されていると共に、この接続化粧材２の前方において開放され、かつ、この接続化粧材２の裏面２４において開放されている。また、この例にあっては、介装材３は、直方体状をなしていると共に、入れ込み凹部２０の長さ寸法と略同じ長さを持った両横向き面３２、３２を有している。この両横向き面３２、３２間の寸法は、つまり、介装材３の厚さ寸法は、入れ込み凹部２０の凹部上面２１と接続化粧材２の裏面２４との間の寸法と略等しい寸法とされている。また、介装材３の止着面３０と前面３１との間の寸法、つまり、介装材３の前後寸法は、形成させようとする化粧溝４の溝幅寸法よりも大きくなるようにしてある。介装材３は横向き面３２の一方を主体化粧材１の裏面１２と略同面上に位置させるようにして主体化粧材１に止着される。
【００４０】
これにより、この例にあっては、かかる接続化粧材２の一方の入れ込み凹部２０に腰壁Ｗの隅Ｗｃを挟んで隣り合う一方の主体化粧材１の接続端面１０に止着された介装材３を入れ込ませ、かつ、かかる接続化粧材２の他方の入れ込み凹部２０に腰壁Ｗの隅Ｗｃを挟んで隣り合う他方の主体化粧材１の接続端面１０に止着された介装材３を入れ込ませるようにして、この接続化粧材２を腰壁Ｗの隅Ｗｃの天端面Ｗａを覆うように取り付け、かつ、両主体化粧材１をそれぞれ腰壁Ｗの天端面Ｗａを覆うように取り付けることにより、この腰壁Ｗの隅Ｗｃを挟んで隣り合う主体化粧材１を、化粧溝４を作りながら、かかる接続化粧材２によって見栄え良く連続させ合わせることができる。
【００４１】
この実施の形態にかかる端面化粧材Ｐは、以下の構成を備えた施工補助具５を、以下のように用いて、腰壁Ｗへの止着をなすようにすることにより、前記化粧溝４が接続化粧材２と主体化粧材１との間に、格別の注意を払うことなく常に所定の溝幅寸法をもって形成されるようにすることができる。
【００４２】
かかる施工補助具５は、一対の脚部５０、５０と、この一対の脚部５０、５０間に亘る連接部５１とを有している。また、かかる一対の脚部５０、５０間の間隔を介装材３の両側面３３、３３間の間隔と略等しくするように構成されていると共に、その厚さ（この実施の形態にあっては後述する隆起部５４の前後寸法）を主体化粧材１の接続端面１０からの介装材３の突き出し寸法、つまり、介装材３の前後寸法よりも小さくするように構成されている。
【００４３】
また、この実施の形態にあっては、この施工補助具５における少なくとも一対の脚部５０、５０のそれぞれが、他方の脚部５０の第一向き合い面５２に向き合う第一向き合い面５２と、この第一向き合い面５２よりも外側に位置される第二向き合い面５３（他方の脚部５０の第二向き合い面５３に向き合う面）とを有しており、
この一対の脚部５０、５０の第一向き合い面５２間の間隔を介装材３の両側面３３、３３間の間隔と略等しくしていると共に、
一対の脚部５０、５０の第二向き合い面５３間の間隔を、主体化粧材１の幅寸法と略等しく、かつ、接続化粧材２の入れ込み凹部２０の形成されている側端部２３の幅寸法と略等しくし、
さらに、突き出し端を第一向き合い面５２とする隆起部５４の両側にそれぞれかかる第二向き合い面５３を備えるように構成されている。
【００４４】
図示の例では、かかる施工補助具５は、連接部５１の両端にそれぞれ、この連接部５１に直交する向きに下方に突き出す脚部５０を有している。また、略コ字状をなす外郭部５５の内側に亘って隆起部５４が形成されており、施工補助具５はその幅方向の断面をどの位置においても略Ｔ字状とするように構成されている。脚部５０の下端側においては、第一向き合い面５２および第二向き合い面５３にはそれぞれこの下端に向かうに連れて外側に広がり出す勾配５６が付けられており、施工補助具５の内方への介装材３などのはめ込みを行い易いようにしてある。
【００４５】
そして、この実施の形態にあっては、隆起部５４の厚さをｘ、介装材３の前後寸法をｙ、接続化粧材２の入れ込み凹部２０の深さをｚとしたときに、
ｘ＜ｙ，ｚ≧ｙ−ｘ
の関係が成立するように施工補助具５、介装材３、および、接続化粧材２を構成させている。
【００４６】
このように構成される施工補助具５の内側に主体化粧材１に止着された介装材３をその表面（両横向き面３２、３２のうちの主体化粧材１の表面１１側に位置される面）側から嵌め入れた状態で、この施工補助具５が主体化粧材１の接続端面１０と接続化粧材２の入れ込み凹部２０を巡る面とに挟み付けられる位置までこの入れ込み凹部２０に介装材３を入れ込み、（図９）
腰壁Ｗに対して接続化粧材２及び主体化粧材１の双方を止着させた後、前記嵌められた施工補助具５を取り外すようにする。
【００４７】
これにより、前記化粧溝４が接続化粧材２と主体化粧材１との間に常に所定の溝幅寸法をもって、（つまり、施工補助具５の隆起部５４の厚さ寸法分の溝幅寸法をもって）形成されるようにすることができる。
【００４８】
また、この実施の形態にかかる施工補助具５にあっては、一対の脚部５０、５０の第二向き合い面５３間の間隔を、主体化粧材１の幅寸法と略等しく、かつ、接続化粧材２の入れ込み凹部２０の形成されている側端部２３の幅寸法と略等しくしていると共に、突き出し端を第一向き合い面５２とする隆起部５４の両側にそれぞれ第二向き合い面５３を備えていることから、隆起部５４を挟んだ一方側の第二向き合い面５３内に主体化粧材１の接続端面１０側の端部をはめ込み、かつ、隆起部５４を挟んだ他方側の第二向き合い面５３内に接続化粧材２の側端部２３をはめ込むようにして、この主体化粧材１と接続化粧材２との間に施工補助具５を介在させることができ、これにより、主体化粧材１の側面１３と接続化粧材２の入れ込み凹部２０の形成されている側端部２３に隣り合う側端面（図３の例では、同図において符号２５で示す入れ込み凹部２０の形成されていない側端部２３の面と入り隅２２ａを構成する面）とを略同一の直線上にできる限り位置させるようにした施工をなすことができる。また、図示の例では、脚部５０の基部における第一向き合い面５２に続く第一水平面５７（隆起部５４の突き出し端のうちの水平方向にある面）から脚部５０の先端までの寸法が介装材３の両横向き面３２、３２間の寸法と略等しく、かつ、脚部５０の基部における第二向き合い面５３に続く第二水平面５８（隆起部５４と外郭部５５との間の段差面）から脚部５０の先端までの寸法が主体化粧材１の厚さ寸法と略等しくなっている。これにより、図示の例にあっては、主体化粧材１の端部を補助具にはめ込ませた状態からその隆起部５４の内方に介装材３をはめ込むことにより、この主体化粧材１の接続端面１０における所定の位置に介装材３を位置づけながら釘Ｎなどによるその止着をなすことができるようになっている。
【００４９】
図１０ないし図１３は、前記介装材３が、主体化粧材１の接続端面１０への止着面３０と、この止着面３０に略直交する向きにある両横向き面３２、３２、及び、両側面３３、３３を備えた基部３４と、
基部３４の横向き面３２の一方に連続する面（以下、この面を円弧面３５ａという。）を、基部３４の他方の横向き面３２の前端３６を略円心とする仮想の円の円弧上に位置させるように形成された延長部３５とを有するように構成した例を示している。
【００５０】
図示の例では、かかる介装材３は、その長さ方向に亘るどの位置においてもその幅方向に沿った断面形状を同一とするように構成されている。延長部３５の側面は基部３４の側面３３と同面上に位置されるようになっている。そして、図示の例にあっては、延長部３５の前面３５ｂ、つまり、延長部３５の円弧面３５ａの前端と基部３４の前端３６との間にある面に形成された凹所３７を利用して釘Ｎなどを主体化粧材１の接続端面１０に打ち込んで、かかる介装材３を主体化粧材１に止着するようにしている。
【００５１】
このようにした場合、接続化粧材２の表面と主体化粧材１の表面１１とが略同面上に位置されるように両者が組み合わされる場合には、介装材３の延長部３５を接続化粧材２の入れ込み凹部２０に入れ込ませるようにすることにより、この介装材３の外面を底面とする化粧溝４を接続化粧材２と主体化粧材１との間に形成させることができる。
【００５２】
また、接続化粧材２の表面が略水平に配され、主体化粧材１の表面１１がそこから下り勾配を持つように両者が組み合わされる場合には、介装材３の延長部３５の円弧面３５ａを上向きにして、かつ、基部３４の前端がこの勾配の始まりとなる位置に略位置されるようにし、かつ、この勾配によって接続化粧材２と主体化粧材１との間に生じる隙間分、前記円弧面３５ａが接続化粧材２の入れ込み凹部２０から外に出るように入れ込み凹部２０に延長部３５を入れ込ませることにより、この介装材３の外面を底面とする化粧溝４を接続化粧材２と主体化粧材１との間に形成させることができる。（図１２）
【００５３】
また、接続化粧材２の表面が略水平に配され、主体化粧材１の表面１１がそこから登り勾配を持つように両者が組み合わされる場合には、介装材３の延長部３５の円弧面３５ａを下向きにして、かつ、基部３４の前端がこの勾配の始まりとなる位置に略位置されるようにし、かつ、この勾配によって接続化粧材２と主体化粧材１との間に生じる隙間分、前記円弧面３５ａが接続化粧材２の入れ込み凹部２０から外に出るように入れ込み凹部２０に延長部３５を入れ込ませることにより、この介装材３の外面を底面とする化粧溝４を接続化粧材２と主体化粧材１との間に形成させることができる。（図１３）
【００５４】
また、図１４および図１５に示される例にあっては、接続化粧材２の一つの側端部２３と、この一つの側端部２３に接続化粧材２の隅２２を挟んで隣り合う二つの側端部２３とにそれぞれ、入れ込み凹部２０が形成してある。
【００５５】
すなわち、この例にあっては、接続化粧材２は平面視の状態において、略正方形状をなす板体として構成されている。この接続化粧材２の一辺、つまり、一つの側端部２３の幅寸法（接続化粧材２における隣り合う隅間の寸法）は、長板状をなす主体化粧材１の幅寸法と略等しくなっている。また、この例にあっては、前記一つの側端部２３の両側にある隅がそれぞれ入り隅状２２ａをなすように成形されている。また、入れ込み凹部２０は、接続化粧材２の三カ所の側端部２３の略全長に亘るように形成されていると共に、この接続化粧材２の前方において開放され、かつ、この接続化粧材２の裏面２４において開放されている。
【００５６】
これにより、この例にあっては、かかる接続化粧材２の一つの側端部２３に形成された入れ込み凹部２０に腰壁ＷがＴ字状に交わる交点部に接続端部を向けるように配される主体化粧材１の一つの接続端面１０に止着された介装材３を入れ込ませ、
かかる接続化粧材２の他の一つの側端部２３に形成された入れ込み凹部２０に前記交点部に接続端部を向けるように配される主体化粧材１の他の一つの接続端面１０に止着された介装材３を入れ込ませ、
さらに、かかる接続化粧材２のさらに他の一つの側端部２３に形成された入れ込み凹部２０に前記交点部に接続端部を向けるように配される主体化粧材１のさらに他の一つの接続端面１０に止着された介装材３を入れ込ませるようにして、この接続化粧材２を腰壁Ｗの交点部の天端面Ｗａを覆うように取り付け、かつ、三つの主体化粧材１をそれぞれ腰壁Ｗの天端面Ｗａを覆うように取り付けることにより、この腰壁Ｗの交点部に接続端部を向けるようにして配される三つの主体化粧材１を、化粧溝４を作りながら、かかる接続化粧材２によって見栄え良くＴ字状をなすように連続させ合わせることができる。
【００５７】
また、図１６ないし図１９に示される例にあっては、接続化粧材２の側端部２３に、腰壁Ｗの天端と側端との間の屈曲部Ｗｄを挟んで隣り合って配される主体化粧材１の一方（天端面Ｗａを覆う主体化粧材１）に止着された介装材３の入れ込み凹部２０が形成してあると共に、
接続化粧材２の裏面２４部に、腰壁Ｗの屈曲部Ｗｄを挟んで隣り合って配される主体化粧材１の他方（側端面Ｗｂを覆う主体化粧材１）に止着された介装材３の入れ込み凹部２０が形成してある。
【００５８】
すなわち、この例にあっては、接続化粧材２は平面視の状態において、略正方形状をなす板体として構成されている。この接続化粧材２の一辺、つまり、一つの側端部２３の幅寸法（接続化粧材２における隣り合う隅間の寸法）は、長板状をなす主体化粧材１の幅寸法と略等しくなっている。また、側端部２３に形成されている入れ込み凹部２０は、接続化粧材２のこの側端部２３の略全長に亘るように形成されていると共に、この接続化粧材２の前方において開放され、かつ、この接続化粧材２の裏面２４において開放されている。一方、裏面部に形成されている入れ込み凹部２０は、入れ込み凹部２０が形成された側端部２３と対向する側の側端部２３に近い位置において、この側端部２３に平行をなすように形成されている。
【００５９】
これにより、この例にあっては、かかる接続化粧材２の側端部２３に形成された入れ込み凹部２０に腰壁Ｗの屈曲部Ｗｄを挟んで上方に位置される天端面Ｗａを覆う主体化粧材１の接続端面１０に止着された介装材３を入れ込ませ、かつ、かかる接続化粧材２の裏面２４部に形成された入れ込み凹部２０に腰壁Ｗの屈曲部Ｗｄを挟んで下方に位置される腰壁Ｗの側端面Ｗｂを覆う主体化粧材１の接続端面１０に止着された介装材３を入れ込ませるようにして、この接続化粧材２を腰壁Ｗの屈曲部Ｗｄの天端面Ｗａを覆うように取り付け、かつ、両主体化粧材１、１をそれぞれ腰壁Ｗの端面を覆うように取り付けることにより、この腰壁Ｗの屈曲部Ｗｄを挟んで隣り合う主体化粧材１を、化粧溝４を作りながら、かかる接続化粧材２によって見栄え良く連続させ合わせることができる。
【００６０】
図示の例では、かかる接続化粧材２の上面および腰壁Ｗの天端面Ｗａを覆う主体化粧材１の上面はいずれも腰壁Ｗの側端面Ｗｂに向かって下り勾配を持つように腰壁Ｗに取り付けられるようになっており、このような勾配に抗わないように腰壁Ｗの側端面Ｗｂを覆う主体化粧材１の接続端面１０が成形されている。
【図面の簡単な説明】
【００６１】
【図１】端面化粧材Ｐの取り付け例を示した斜視図
【図２】図１に示される端面化粧材Ｐの分離斜視図
【図３】図１の取り付け例の平面図
【図４】図３におけるＡ−Ａ線断面図
【図５】図３におけるＢ−Ｂ線断面図
【図６】施工補助具５の斜視図
【図７】同正面図
【図８】図７におけるＣ−Ｃ線断面図
【図９】施工補助具５の使用状態を示した断面図
【図１０】介装材３の構成の一部を変更させてなる端面化粧材Ｐの取り付け例を示した斜視図
【図１１】図１０に示される端面化粧材Ｐの分離斜視図
【図１２】図１０におけるＤ−Ｄ線断面図
【図１３】図１０におけるＥ−Ｅ線断面図
【図１４】入れ込み凹部２０を三カ所に備えた接続化粧材２の平面図
【図１５】同正面図
【図１６】さらに他の端面化粧材Ｐの取り付け例を示した斜視図
【図１７】図１６に示される端面化粧材Ｐの分離斜視図
【図１８】図１６の取り付け例の平面図
【図１９】図１８におけるＦ−Ｆ線断面図
【符号の説明】
【００６２】
Ｗ  腰壁
Ｐ  端面化粧材
１  主体化粧材
１０  接続端面
２  接続化粧材
２０  入れ込み凹部
【図１】
2006283440.tif 000003
【図２】
2006283440.tif 000004
【図３】
2006283440.tif 000005
【図４】
2006283440.tif 000006
【図５】
2006283440.tif 000007
【図６】
2006283440.tif 000008
【図７】
2006283440.tif 000009
【図８】
2006283440.tif 000010
【図９】
2006283440.tif 000011
【図１０】
2006283440.tif 000012
【図１１】
2006283440.tif 000013
【図１２】
2006283440.tif 000014
【図１３】
2006283440.tif 000015
【図１４】
2006283440.tif 000016
【図１５】
2006283440.tif 000017
【図１６】
2006283440.tif 000018
【図１７】
2006283440.tif 000019
【図１８】
2006283440.tif 000020
【図１９】
2006283440.tif 000021